(57)【要約】【課題】ディスク取り出し過程でディスクやディスクホルダを損傷、破損させるおそれが小さく、かつ、取り出したディスクを再び収容させることのできるディスクホルダを提供する。【解決手段】内部にディスクを収容保持する保持孔部を有する板状のディスク保持部材と、前記ディスク保持部材をその平面方向に沿って移動可能とする移動空間を内部に有する板状の本体部材と、を備え、前記移動空間は、前記本体部材の１つの端面に連通し、前記板状部材を前記移動空間に挿入することにより前記本体部材内に前記ディスクを収容させ、前記板状部材を前記移動空間から引き出すことにより前記ディスクを前記本体部材から取り出すことを特徴とする。【選択図】図５
0003125737.tif 000002
【実用新案登録請求の範囲】
【請求項１】
内部にディスクを収容保持する保持孔部を有する板状のディスク保持部材と、
前記ディスク保持部材をその平面方向に沿って移動可能とする移動空間を内部に有する板状の本体部材と、
を備え、
前記移動空間は、前記本体部材の１つの端面に連通し、
前記板状部材を前記移動空間に挿入することにより前記本体部材内に前記ディスクを収容させ、
前記板状部材を前記移動空間から引き出すことにより前記ディスクを前記本体部材から取り出すこと
を特徴とするディスクホルダ。
【請求項２】
前記本体部材は、前記移動空間を備えた中板を上板及び下板で挟むように構成されていることを特徴とする請求項１に記載のディスクホルダ。
【請求項３】
前記移動空間は前記中板から前記ディスク保持部材を分離した後に残る空間であることを特徴とする請求項２に記載のディスクホルダ。
【請求項４】
前記ディスク保持部材の移動方向は、前記移動部材が連接される端面に対して傾斜していることを特徴とする請求項１乃至請求項３のうち、いずれか１項に記載のディスクホルダ。
【請求項５】
前記保持孔部は、少なくとも前記ディスクの外周の一部形状と合致する形状を備えることを特徴とする請求項１乃至請求項４のうち、いずれか１項に記載のディスクホルダ。
【考案の詳細な説明】
【技術分野】
【０００１】
本考案は、ＣＤ（コンパクトディスク）、ＤＶＤ（Ｄｉｇｉｔａｌ  Ｖｅｒｓａｔｉｌｅ  Ｄｉｓｃ）、フロッピーディスク（登録商標）、ＭＯ（光磁気ディスク）その他のディスクを収納保持するためのディスクホルダに関し、とくに書籍に綴じ込むことのできるディスクホルダに関する。
【背景技術】
【０００２】
雑誌その他の書籍に付録としてＣＤがつけられることがあり、ＣＤを書籍に綴じ込むためにディスクホルダが使用されている。例えば図６に示すディスクホルダ５０は、ディスク６０を収容する空間を内部に形成するように、２枚の紙片を重ね合わせたものであり、内部に収容されたＣＤ６０が見えるように円形の開口５２が形成されている。ここで、図６は、従来のディスクホルダの構成を示す平面図であって、（ａ）はディスクを収容した状態を、（ｂ）は取り出し部を開封していく過程を、（ｃ）はディスクを取り出した状態を、それぞれ示す図である。このディスクホルダ５０には、書籍の出荷時には閉じている（図６（ａ））が、ミシン目５４に沿って切り起こすことによりＣＤ６０を取り出し可能とする取り出し部５６が設けられている（図６（ｂ）、（ｃ））。ＣＤ６０は、その表面を保護するための透明保護フィルム６２内に納められた状態でディスクホルダ５０内に収容されており、透明保護フィルム６２に納められた状態でディスクホルダ５０から取り出される。
【考案の開示】
【考案が解決しようとする課題】
【０００３】
しかしながら、上述のディスクホルダ５０では、収納されたＣＤ６０が振動などにより損傷しないように、内部空間の平面サイズ及び厚さをＣＤ６０と略同一としている。このため、ディスクホルダ５０からＣＤ６０を取り出すには強い力でＣＤ６０及び透明保護フィルム６２を引き出さなければならない。したがって、取り出しの過程でＣＤ６０、透明保護フィルム６２、ディスクホルダ５０が破損、損傷するおそれがあり、透明保護フィルム６２又はディスクホルダ５０が破損した場合はＣＤ６０をディスクホルダ５０に再び収容することができなくなり、再利用（収容）が困難であった。さらに、ＣＤ６０及び透明保護フィルム６２が収容される内部空間と、ディスクホルダ５０の表面と、の間には段差があるため、ＣＤ６０及び透明保護フィルム６２が取り出しにくく、強い力でＣＤ６０及び透明保護フィルム６２を取り出すと、この段差に強く接触するため、ＣＤ６０、透明保護フィルム６２、ディスクホルダ５０の損傷の原因となりやすい。また、ＣＤ６０及び透明保護フィルム６２を取り出すために切り起こした取り出し部５６を出荷時の状態に戻すのは困難であるため、ディスクホルダ５０の厚みが増してしまい、ディスクホルダ５０自体の収容に不便である。また、ＣＤ６０を取り出すときにその記録面に指が触れないように、及び、内部空間とディスクホルダ表面との間の段差にＣＤ６０の記録面が接触しないように、透明保護フィルム６２を使用しなければならず、コスト及び製造効率の面で不利であった。
【課題を解決するための手段】
【０００４】
上記課題を解決するために、本考案のディスクホルダにおいては、内部にディスクを収容保持する保持孔部を有する板状のディスク保持部材と、前記ディスク保持部材をその平面方向に沿って移動可能とする移動空間を内部に有する板状の本体部材と、を備え、前記移動空間は、前記本体部材の１つの端面に連通し、前記板状部材を前記移動空間に挿入することにより前記本体部材内に前記ディスクを収容させ、前記板状部材を前記移動空間から引き出すことにより前記ディスクを前記本体部材から取り出すことを特徴とする。
【０００５】
本考案のディスクホルダにおいて、前記本体部材は、前記移動空間を備えた中板を上板及び下板で挟むように構成されていることを特徴とする。
【０００６】
本考案のディスクホルダにおいて、前記移動空間は前記中板から前記ディスク保持部材を分離した後に残る空間であることを特徴とする。
【０００７】
本考案のディスクホルダにおいて、前記ディスク保持部材の移動方向は、前記移動部材が連接される端面に対して傾斜していることを特徴とする。
【０００８】
本考案のディスクホルダにおいて、前記保持孔部は、少なくとも前記ディスクの外周の一部形状と合致する形状を備えることを特徴とする。
【考案の効果】
【０００９】
本考案によると、板状のディスク保持部材をその平面方向に沿って移動させることにより、ディスクの収容及び取り出しを行うため、取り出しの過程でディスクやディスクホルダを損傷、破損させるおそれが小さく、取り出したディスクを再び収容させることができる。また、いったんディスクを取り出した後も、出荷時と同じ外形サイズに戻すことが容易にできるため、ディスクホルダ自体の収容に場所をとらなくて済む。また、ディスク保持部材をその平面方向に沿って移動させてディスクを出し入れするため、保護フィルムを用いる必要がなく、保護フィルム内にディスクを収容する手間を省くことができる。
【考案を実施するための最良の形態】
【００１０】
以下、本考案にかかる実施形態を図面を参照しつつ詳しく説明する。本実施形態では、ディスクがＣＤである場合について説明するが、本考案は、ＣＤ以外のディスク（例えばＤＶＤ、フロッピーディスク（登録商標）、ＭＯ）のほか、磁気カード、ＩＣカード、その他の平板状物に適用することができる。
【００１１】
本実施形態に係るディスクホルダ１０（図４、図５）は、上板２０（図１）、中板３０（図２）、下板４０（図３）の順に重ね合わせてなり、中板３０に形成したディスク保持部材３２にＣＤ１２（図４）を収容保持させるものである。
ここで、図１は、本考案の実施形態に係るディスクホルダの上板の構成を示す平面図、図２は、本考案の実施形態に係るディスクホルダの中板の構成を示す平面図、図３は、本考案の実施形態に係るディスクホルダの下板の構成を示す平面図である。
【００１２】
上板２０は長方形状の平面形状を備えた板状部材であり、例えばコートボール紙で形成すると安価で、かつ、見栄えもよい。上板２０を構成する紙としては、コートボール紙以外の板紙、例えば、白ボール紙、マニラボール紙、チップボール紙、色板紙、段ボール紙を用いることができ、用途、コストに合わせて選定することができる。上板２０の上面２１の略中央には、ディスクホルダ１０に収容されたＣＤ１２を観察可能とするように、上板２０を厚さ方向に貫通した窓部２２が設けられている。また、上板２０の上面２１には、書籍にのり付け固定される端面２４側に、この端面２４に略平行に切り込み線２７が設けられ、端面２４に対向する端面２５側には、ディスクホルダ１０を開封してディスク保持部材３２を引き出し可能とするようにミシン目により画成された開封部２８が形成されている。切り込み線２７を設けると、切り込み線２７を中心にしてディスクホルダ１０を折り曲げることができるため、ディスクホルダ１０が綴じられた書籍の開閉がしやすくなる。また、開封部２８の中央部２８ａは、端面３５側から端面３４側へ凸の弧状をなしている。
【００１３】
中板３０は、上板２０と同一の外形形状を備えた板状部材であり、例えばチップボール紙で形成すると、ＣＤ１２を保持するのに必要な強度を実現し、かつ、安価に製造することができる。中板３０を構成する紙としては、チップボール紙以外の板紙、例えば、コートボール紙、白ボール紙、マニラボール紙、色板紙、段ボール紙を用いることができ、用途、コストに合わせて選定することができる。中板３０の上面３１の略中央には、略コの字状に切り込むことによりディスク保持部材３２が形成されている。このディスク保持部材３２は、コの字の開いた部分が、書籍に綴じられる端面３４に対向する端面３５側に配置され、コの字の先端を残すことによりディスク保持部材３２は中板３０と一体となっている。ディスク保持部材３２がＣＤ１２を確実に保持するためには、中板３０の厚さはＣＤ１２と同一であることが好ましい。また、コの字の横線（ディスク保持部材３２の移動方向）と端面３５とのなす角α（図２）を９０度よりも大きくすると、ディスク保持部材３２は端面３５側よりも端面３４側の方が重力方向下側となるため、ディスク保持部材３２を中板３０から切り離した後において重力によってディスク保持部材３２がディスクホルダ１０から自然落下してしまうことを防止することができる。
【００１４】
ディスク保持部材３２の略中央にはＣＤ１２を内部に収容保持するための保持孔部３３が中板３０の厚さ方向に貫設されている。保持孔部３３の平面形状は、その少なくとも一部が、ＣＤ１２の外周形状に対応していることが好ましい。ディスク保持部材３２のディスクホルダ１０からの取り出し時やディスクホルダ１０への挿入時に、より確実にＣＤ１２を保持するためである。
さらに、上面３１の端面３５側には、ミシン目により切り起こし部３８が形成されている。切り起こし部３８は、開封部２８の中央部２８ａとほぼ同一の形状であって、外形形状を合わせるように中板３０を上板２０に重ねたときに、開封部２８の中央部２８ａに対応するような位置に配置されている。
【００１５】
下板４０は、上板２０と同一の外形形状を備えた板状部材であり、上板２０と同一材料で形成するとディスクホルダ１０全体として統一感が出るため好ましい。下板４０の上面４１には、書籍に綴じられる端面４４に対向する端面４５側に、ミシン目により切り起こし部４８が形成されている。切り起こし部４８は、開封部２８の中央部２８ａ及び中板３０の切り起こし部３８とほぼ同一の形状であって、外形形状を合わせるように下板４０を中板３０に重ねたときに、切り起こし部３８に対応するような位置に配置されている。
【００１６】
次にディスクホルダ１０の組み立てについて説明する。
中板３０の上面３１には、縁部を残して保持孔部３３を囲む範囲３９に糊がつけられる。具体的には、縁部を残してディスク保持部材３２を略コの字状に囲む糊付け部３９ａと、保持孔部３３と端面３５との間の部分に塗布される糊付け部３９ｂに糊がつけられる。この糊は公知のものを使用することができ、上板２０と中板３０に用いる板紙の種類、工程、コストなどを考慮して適宜選択する。保持孔部３３内にＣＤ１２を収容した状態で、すべての端面の位置を合わせて、上板２０の下面（図示せず）と中板３０の上面３１を互いに圧接して上板２０と中板３０を接着（合紙）する。
また、中板３０と下板４０については、中板３０の下面（図示せず）において、中板３０の上面３１における糊付け部３９ａに相当する箇所にのみ糊付けが行われるものである。すなわち、縁部を残してディスク保持部材３２を略コの字状に囲む範囲（図示せず）に糊をつけ、すべての端面の位置を合わせて、中板３０の下面と下板４０の上面４１を互いに圧接して中板３０と下板４０を接着（合紙）する。以上により板状のディスクホルダ１０が組み立てられ（図４）、端面２４、端面３４、端面４４によって構成される端面１４を、書籍に対して、のり付けその他の公知の手段で固定することにより、ディスクホルダ１０は書籍に綴じられる。ここで、図４は、本考案の実施形態に係るディスクホルダを組み立てた状態を示す平面図である。
【００１７】
つづいて、ＣＤ１２の取り出しについて説明する。
まず、ディスクホルダ１０の下面（下板４０の下面）（図示せず）から、切り起こし部４８を切断しつつ切り起こし部４８と端面４５で囲まれる部分を中板３０側へ押し上げる。すると、下板４０に接着された中板３０の切り起こし部３８、及び中板３０に接着された上板２０の開封部２８の中央部２８ａも押し上げられ、これにより、上板２０の開封部２８が切断される。このとき開封部２８と端面２５で囲まれる部分はディスク保持部材３２の上面に接着されている。
【００１８】
次に、図２、図４及び図５に示すように、ディスク保持部材３２をその平面方向（図４の左右方向）に沿って動かすと、コの字状のディスク保持部材３２の先端と端面３５との間の部分が切断されてディスクホルダ１０の端面１５に開口部１７が形成されるとともに、ディスク保持部材３２と中板３０とが分離される。この状態からディスク保持部材３２をディスクホルダ１０の幅方向に引き出すことにより、ディスク保持部材３２をディスクホルダ１０から取り出すことができる（図５）。ディスクホルダ１０内においてディスク保持部材３２を取り出すことにより形成された空間は、端面１４に対向する端面１５に形成された開口部１７に連通され、ディスク保持部材３２をその平面に沿って移動可能とする移動空間１６となる。ここで、図５は、本考案の実施形態に係るディスクホルダからディスク保持部材を引き出した状態を示す平面図である。
【００１９】
移動空間１６は、上板２０と下板４０で挟まれ、高さがＣＤ１２の厚さと略同一の空間であるため、ＣＤ１２を保持孔部３３内に収容保持したディスク保持部材３２を開口部１７から挿入していくときにＣＤ１２を保持孔部３３内にとどまらせることができる。また、端面１５は、ディスク保持部材３２を切除して形成されたため、端面１５からはみ出すことなくディスク保持部材３２をディスクホルダ１０内に収容することができる。さらに、ディスク保持部材３２と中板３０が切断された後は、ディスク保持部材３２の移動に強い力は要しないため、ディスク保持部材３２の取り出し及び挿入の過程でディスク保持部材３２及びＣＤ１２を損傷、破損させるおそれが小さい。また、ディスク保持部材３２の移動方向に段差その他の移動の障害となるものがないため、ＣＤ１２を損傷、破損させるおそれが小さく、スムーズにディスク保持部材３２を取り出すことができる。さらに、スムーズに取り出すことができるため、保護フィルムにＣＤ１２を収容する必要がなくなり、コストを削減できるとともに、保護フィルム内にＣＤ１２を収容する手間を省くことができる。
【００２０】
ディスク保持部材３２からのＣＤ１２の取り出しは、例えばＣＤ１２の中心が現れるまでディスク保持部材３２を引き出したところでＣＤ１２の中心と外周を挟持することにより行うことができ、これにより記録面に触れることなくＣＤ１２を取り出すことができる。このため、保護フィルムに収容することなくＣＤ１２を直接保持孔部３３内に収容することができる。
【００２１】
また、上板２０及び下板４０を表面が平滑な板紙（例えばコートボール紙）で構成すると、ディスク保持部材３２の出し入れがさらにスムーズとなるため好ましい。さらに、上述の保持孔部３３は中板３０を貫通するように設けたが、保持孔部３３を有底の凹部とすると、ディスク保持部材３２の取り出し・挿入の間やディスクホルダ１０に振動が加わった場合にもＣＤ１２をより確実に保持できる。保持孔部３３を有底にするには、例えば中板３０を板紙２枚を重ねた構成とし、一方の板紙を貫通するように保持孔部３３を設け、保持孔部３３を形成していない他方の板紙に固定する方法がある。
【００２２】
上記実施形態では、中板３０からディスク保持部材３２を切断して分離することにより移動空間１６を形成していたが、中板とディスク保持部材とを最初から別個に作ってもよい。
【００２３】
上述の説明では、ディスク保持部材３２をディスクホルダ１０の幅方向（図４、図５の左右方向）に取り出し、又は挿入していたが、ディスクホルダ１０の高さ方向（図４、図５の上下方向）に取り出し、又は挿入するようにしてもよい。また、略コの字状の切り込みによって形成されたディスク保持部材３２を左右反対に形成するとともに、開封部２８、切り起こし部３８、切り起こし部４８を端面１４側（切り込み線２７側）に設けて、切り込み線２７でディスクホルダ１０を切り取った後にディスク保持部材３２を端面３４側から出し入れするようにすることもできる。
【００２４】
本考案について上記実施形態を参照しつつ説明したが、本考案は上記実施形態に限定されるものではなく、改良の目的または本考案の思想の範囲内において改良または変更が可能である。
【図面の簡単な説明】
【００２５】
【図１】本考案の実施形態に係るディスクホルダの上板の構成を示す平面図である。
【図２】本考案の実施形態に係るディスクホルダの中板の構成を示す平面図である。
【図３】本考案の実施形態に係るディスクホルダの下板の構成を示す平面図である。
【図４】本考案の実施形態に係るディスクホルダを組み立てた状態を示す平面図である。
【図５】本考案の実施形態に係るディスクホルダからディスク保持部材を引き出した状態を示す平面図である。
【図６】従来のディスクホルダの構成を示す平面図であって、（ａ）はディスクを収容した状態を、（ｂ）は取り出し部を開封していく過程を、（ｃ）はディスクを取り出した状態を、それぞれ示す図である。
【符号の説明】
【００２６】
１０    ディスクホルダ
１２    ＣＤ
１４    端面
１５    端面
１６    移動空間
１７    開口部
２０    上板
２２    窓部
２７    切り込み線
２８    開封部
２８ａ  中央部
３０    中板
３２    ディスク保持部材
３３    保持孔部
３８    切り起こし部
４０    下板
４８    切り起こし部
α      ディスク保持部材と中板の端面とのなす角
【図１】
0003125737.tif 000003
【図２】
0003125737.tif 000004
【図３】
0003125737.tif 000005
【図４】
0003125737.tif 000006
【図５】
0003125737.tif 000007
【図６】
0003125737.tif 000008